(57)【要約】【課題】締付部材と結合部材の噛み合わせを解除しない限り結合部材を回転させることができない構造として、誤操作による装置の破壊を防ぐコネクタ等を提供する。【解決手段】相手コネクタとの嵌合時に相手コネクタに対する回転が規制される基部と、相手コネクタに対して回転可能な状態で基部に設けられ、相手コネクタとの嵌合時に相手コネクタに対して回転させることにより相手コネクタに取り付けられてコネクタを相手コネクタに結合させる結合部材と、ケーブルに沿って結合部材側に移動可能な状態で基部において結合部材に対して相手コネクタの反対側に設けられ、結合部材側への移動につれてケーブルを締め付けるように構成された締付部材と、締付部材の結合部材側への移動に応答して結合部材側に移動し、基部に対する回転が規制された状態で結合部材の所定部分と噛み合わされて結合部材の相手コネクタに対する回転を防止する回転防止部材を有する。【選択図】図１
2014127416.tif 000002
【特許請求の範囲】
【請求項１】
相手コネクタ側に設けたレセプタクルに係止される係止部を有したプラグと、該プラグに一端が接続されたケーブルの少なくとも一部と、を内包した状態で、前記相手コネクタに着脱自在に嵌合される筒状のコネクタであって、
前記プラグと前記ケーブルの少なくとも一部とを内包した状態で前記ケーブルに沿って延在し、前記相手コネクタと前記コネクタの嵌合時に前記相手コネクタに対する回転が規制される基部と、
前記相手コネクタに対して回転可能な状態で前記基部に設けられ、前記相手コネクタと前記コネクタの嵌合時に前記相手コネクタに対して回転させることにより前記相手コネクタに取り付けられて、前記コネクタを前記相手コネクタに結合させる結合部材と、
前記結合部材に対して前記相手コネクタの反対側において、前記ケーブルに沿って前記結合部材側に移動可能な状態で前記基部に対して設けられ、前記結合部材側へ移動するにつれて前記ケーブルを締め付けるように構成された締付部材と、
前記締付部材の前記結合部材側への移動に応答して前記結合部材側に移動し、前記基部に対する回転が規制された状態で前記結合部材の所定部分と噛み合わされて前記結合部材の前記相手コネクタに対する回転を防止するように構成された回転防止部材と、
を備えることを特徴とするコネクタ。
【請求項２】
前記締付部材は、前記ケーブルに沿って前記結合部材の反対側に移動するにつれて前記ケーブルの締め付けを解除できるように構成されており、
前記回転防止部材は、前記締付部材の前記結合部材の反対側への移動に伴って前記結合部材の反対側に移動し、前記結合部材の所定部分との噛み合わせを解除して、前記結合部材の回転を許容する、
請求項１に記載のコネクタ。
【請求項３】
前記締付部材のうち、少なくとも外部に露出した外側部材は、前記回転防止部材に対して前記相手コネクタの反対側に、前記回転防止部材に対して回転可能な状態で設けられており、
前記締付部材と前記基部にはそれぞれ、互いに対応付けされたネジ部が設けられており、前記外側部材のネジ部と前記基部のネジ部とを対応付けることにより、前記外側部材をネジの働きにより前記結合部材側に移動させ、前記結合部材と前記外側部材との間に位置する前記回転防止部材を前記外側部材とともに前記結合部材側に移動させて前記結合部材の所定部分と前記回転防止部材の所定部分を噛み合わせるように構成された、請求項１又は２に記載のコネクタ。
【請求項４】
前記回転防止部材と前記基部のそれぞれに、前記基部に対する前記回転防止部材の回転を規制するとともに、前記回転防止部材と前記結合部材が互いに噛み合わされる前に前記回転防止部材と前記結合部材の向きを調整する部材を更に設けた、請求項１乃至３のいずれかに記載のコネクタ。
【請求項５】
前記回転防止部材には、回転防止用の突起が前記ケーブルに沿って設けられており、これに対応して、前記結合部材には、前記突起が噛み合う回転防止用の溝が前記ケーブルに沿って設けられている、請求項１乃至４のいずれかに記載のコネクタ。
【請求項６】
前記結合部材には、回転防止用の突起が前記ケーブルに沿って設けられており、これに対応して、前記回転防止部材には、前記突起が噛み合う回転防止用の溝が前記ケーブルに沿って設けられている、請求項１乃至４のいずれかに記載のコネクタ。
【請求項７】
防水用のコネクタである請求項１乃至６のいずれかに記載のコネクタ。
【請求項８】
請求項１乃至７のいずれかに記載のコネクタと前記相手コネクタとの組から成るコネクタ装置。
【請求項９】
請求項１乃至７のいずれかに記載のコネクタ又は請求項８に記載のコネクタ装置に用いる前記基部、前記結合部材、及び前記締付部材から成るコネクタ部材。
【発明の詳細な説明】
【技術分野】
【０００１】
本発明は、コネクタ及びこのコネクタを用いたコネクタ装置に関し、特に、誤操作を防止することができるコネクタ等に関する。
【背景技術】
【０００２】
本願のコネクタに多少類似する構造を持つコネクタとして、例えば、特許文献１に開示されているものがある。図９に、この特許文献１に開示されたコネクタの分解斜視図を示す。
【０００３】
このコネクタは全体として略筒形状を有し、プラグ１１２とプラグ１１２に一端が接続されたケーブル（コード）１１０の少なくとも一部とを内包した状態で、相手コネクタに対して嵌合される。相手コネクタとの嵌合側にはプラグ本体１２０が設けられており、特許文献１に詳細な説明はないものの、このプラグ本体１２０は一般のコネクタと同様に、例えば、相手コネクタに対して回転させることにより相手コネクタに着脱自在となっている。一方、相手コネクタの反対側には、ケーブル１１０を締め付けるための部材、即ち、円筒形パッキング１３２や、この円筒形パッキング１３２を介して連接部品の螺子１３６に螺子締めされるパッキング本体１３０が設けられている。
【０００４】
プラグ１１２には、つまみ１１８によって操作可能な機械的掛け金１１６が設けられており、この機械的掛け金１１６を利用して、相手コネクタ側に設けたレセプタクルに係止される構造となっている。尚、この特許文献１は、ケーブルの標準化を図るため、機械的掛け金１１６の機能をレセプタクル１２２によって無効にすることを特徴とするものであるが、当然のことながら、一般のコネクタに、このような無効化機能は設けられていない。
【先行技術文献】
【特許文献】
【０００５】
【特許文献１】特開２００３−２４３１０８号公報
【発明の概要】
【発明が解決しようとする課題】
【０００６】
上記の従来構成において、無効化操作がなされない場合、つまり、特許文献１のような無効化機能を有しない一般のコネクタの場合には、円筒形パッキング１３２やパッキング本体１３０のような締付部材によるケーブルの締め付けを解除しない場合であっても、プラグ本体１２０を回転させてコネクタと相手コネクタの嵌合を解除することができるため、（特許文献１のようにプラグ１１２の機械的掛け金１１６の機能が無効化されている場合は問題ないものの）プラグが相手コネクタ側に設けたレセプタクルに係止され、且つ、締付部材によってケーブルが締め付けられたままであっても、コネクタを相手コネクタから引き離すこと、換言すれば、プラグ１１２はレセプタクルに係止されているため引き離すことができないにもかかわらず、コネクタとともにコネクタの締付部材に固定されたケーブル１１０を引っ張ることが可能であり、この結果、ケーブル１１０に接続されたプラグ１１２とレセプタクルとの間の係止構造を破壊してしまう危険がある。
【０００７】
本発明は、特許文献１のような無効化機能を有しない一般のコネクタにおける従来の問題点を解決するためになされたものであり、締付部材と結合部材の噛み合わせを解除しない限り、換言すれば、締付部材を結合部材の反対側に移動させて締付部材によるケーブルの締め付けを解除しない限り、結合部材を回転させることができない構造として、誤操作による装置の破壊を防ぐことができるコネクタ等を提供することを目的とする。尚、特許文献１のコネクタのように、無効化機能を有する場合は、このような問題は生じないが、このような無効化機能を設けた場合には、プラグとレセプタクルとが係止されないことから、十分な接続状態が確保されないといった問題があり、特許文献１に開示されているような方法は、あまり好ましい構成とは言えない。
【課題を解決するための手段】
【０００８】
本発明は、相手コネクタ側に設けたレセプタクルに係止される係止部を有したプラグと、該プラグに一端が接続されたケーブルの少なくとも一部と、を内包した状態で、前記相手コネクタに着脱自在に嵌合される筒状のコネクタであって、前記プラグと前記ケーブルの少なくとも一部とを内包した状態で前記ケーブルに沿って延在し、前記相手コネクタと前記コネクタの嵌合時に前記相手コネクタに対する回転が規制される基部と、前記相手コネクタに対して回転可能な状態で前記基部に設けられ、前記相手コネクタと前記コネクタの嵌合時に前記相手コネクタに対して回転させることにより前記相手コネクタに取り付けられて、前記コネクタを前記相手コネクタに結合させる結合部材と、前記結合部材に対して前記相手コネクタの反対側において、前記ケーブルに沿って前記結合部材側に移動可能な状態で前記基部に対して設けられ、前記結合部材側へ移動するにつれて前記ケーブルを締め付けるように構成された締付部材と、前記締付部材の前記結合部材側への移動に応答して前記結合部材側に移動し、前記基部に対する回転が規制された状態で前記結合部材の所定部分と噛み合わされて前記結合部材の前記相手コネクタに対する回転を防止するように構成された回転防止部材と、を備えるコネクタを特徴とする。
上記の構成によれば、締付部材と結合部材の噛み合わせを解除しない限り、結合部材を回転させることができないため、従来のように、締付部材によるケーブルの締め付けを解除しないまま結合部材を回転させてコネクタと相手コネクタの嵌合を解除してしまうことはない。よって、その後の誤操作による、プラグとレセプタクルとの間の接続破壊を防ぐことができる。
【０００９】
上記コネクタにおいて、前記締付部材は、前記ケーブルに沿って前記結合部材の反対側に移動するにつれて前記ケーブルの締め付けを解除できるように構成されており、前記回転防止部材は、前記締付部材の前記結合部材の反対側への移動に伴って前記結合部材の反対側に移動し、前記結合部材の所定部分との噛み合わせを解除して、前記結合部材の回転を許容するものであってもよい。
上記の構成によれば、締付部材を結合部材の反対側へ移動させて、締付部材によるケーブルの締め付けを解除しない限り、結合部材を回転させることができないため、従来のように、締付部材によるケーブルの締め付けを解除しないまま結合部材を回転させてコネクタと相手コネクタの嵌合を解除してしまうことはない。よって、その後の誤操作による、プラグとレセプタクルとの間の接続破壊を防ぐことができる。
【００１０】
上記コネクタは、更に、前記締付部材のうち、少なくとも外部に露出した外側部材は、前記基部において前記回転防止部材に対して前記相手コネクタの反対側に、前記回転防止部材に対して回転可能な状態で設けられており、前記締付部材と前記基部にはそれぞれ、互いに対応付けされたネジ部が設けられており、前記外側部材のネジ部と前記基部のネジ部とを対応付けることにより、前記外側部材をネジの働きにより前記結合部材側に移動させ、前記結合部材と前記外側部材との間に位置する前記回転防止部材を前記外側部材とともに前記結合部材側に移動させて前記結合部材の所定部分と前記回転防止部材の所定部分を噛み合わせるように構成されていてもよい。
基部を設けたことにより、主に結合部材と基部から成る前方シェルと、主に回転防止部材と締付部材から成る後方シェルに分類することができるため、構造を簡易化することができる。
【００１１】
上記コネクタにおいて、前記回転防止部材と前記結合部材が互いに噛み合わされる前に、前記回転防止部材と前記結合部材の向きを、前記回転防止部材と前記基部のそれぞれに設けられた位置合わせ部材によって調整してもよい。
基部を利用して、予め、回転防止部材と結合部材の向きを調整することができる。
【００１２】
上記コネクタにおいて、前記回転防止部材と前記基部のそれぞれに、前記基部に対する前記回転防止部材の回転を規制するとともに、前記回転防止部材と前記結合部材が互いに噛み合わされる前に前記回転防止部材と前記結合部材の向きを調整する部材を更に設けてもよい。
これにより、回転防止部材の相手コネクタに対する回転を防止するとともに、回転防止部材と結合部材を確実に且つスムーズに噛み合わせることができる。
【００１３】
上記コネクタは、防水用のコネクタであってもよく、前記相手コネクタと組を構成してもよい。
本発明は、また、上記コネクタと前記相手コネクタとの組から成るコネクタ装置を特徴としている。
更に、本発明は、上記コネクタに用いる前記基部、前記結合部材、及び前記締付部材から成るコネクタ部材を特徴としている。
【発明の効果】
【００１４】
本発明によれば、締付部材と結合部材の噛み合わせを解除しない限り、結合部材を回転させることができないため、誤操作による装置の破壊を防ぐことができるコネクタ等が提供される。
【図面の簡単な説明】
【００１５】
【図１】本防水装置の一例を周辺部材とともに示した平面図である。
【図２】本コネクタと相手コネクタの平面図及び縦断面図である。
【図３】本コネクタのみの前方斜視図と後方斜視図である。
【図４】本コネクタの前方シェルと後方シェルを分離し、それらの内部に設けたガスケットとクランプを取り出した図である。
【図５】本コネクタの前方シェルと後方シェルの全ての構成部品を分解した分解斜視図である。
【図６】本コネクタの前方シェルの構成部品のうちの代表的な構成部品の斜視図と後方シェルの斜視図である。
【図７】本コネクタの動作を示す平面図である。
【図８】本発明の変形例を示す図である。
【図９】従来技術を示す図である。
【発明を実施するための形態】
【００１６】
以下、添付図面を参照して、本発明の一実施形態について説明する。尚、本実施形態では、防水コネクタとしてのプラグコネクタ２、又はこの防水コネクタとしてのプラグコネクタ２を用いた防水装置１を例に挙げて説明するが、以下の記載からも明らかなように、本発明は防水コネクタに限らず、防水機能を有しない、例えば、光コネクタや電気コネクタのような様々なプラグコネクタにも応用可能である。
【００１７】
図１は、本防水装置１の一例を周辺部材とともに示した平面図である。本装置１は、互いに着脱自在に嵌合させることができる筒状のプラグコネクタ（防水コネクタ）２とレセプタクルコネクタ（相手コネクタ）８の組から成る。但し、図１は、理解容易のため、防水装置１の使用状態を概略的に示したものであって、この図と実際の使用状態とは異なる。即ち、実際の使用状態では、レセプタクルコネクタ８側に設けたレセプタクル８１は、筐体８２やこれに取り付けられたレセプタクルコネクタ８に収容されるため外部に現われることはなく、同様に、プラグコネクタ２側に設けたプラグ１０やこのプラグ１０に一端が接続されたケーブル９の少なくとも一部は、嵌合されたレセプタクルコネクタ８やプラグコネクタ２に収容された状態となるため外部に現われることはない。尚、プラグ１０とレセプタクル８１は、従来と同様の構成を有するものと考えてよく、プラグ１０は、係止片７等を利用して、従来と同様の方法でレセプタクル８１に係止され、係止片７によって解除操作をしない限り、これらの係止状態が解除されることはない。
【００１８】
プラグコネクタ２とレセプタクルコネクタ８の嵌合はバイヨネット接続による。バイヨネット接続のため、レセプタクルコネクタ８の筒状部９３の外面には、山部９９を越えた終端に窪み９８を形成した固定溝９０が設けられ、これに対応して、プラグコネクタ２のスリーブ１８の先端側内周面には、突起（後述する図２の（ｂ）の断面図に示された突起２６）が設けられる。バイヨネットによる固定時には、先ず、プラグコネクタ２側に設けた位置合わせ用のマーキング２８と、これに対応してレセプタクルコネクタ８側に設けた位置合わせ用のマーキング９２を目視して、プラグコネクタ２の絶縁ケース１４に設けた位置合わせ用の案内突起２７が、レセプタクルコネクタ８の案内窪み（後述する図２の（ｂ）の断面図に示された案内窪み９７）に挿入される。次いで、スリーブ１８の突起２６を筒状部９３の固定溝９０に沿って軸方向に沿って押し込んだ後、スリーブ１８を筒状部９３の外面に沿ってレセプタクルコネクタ８に対して回転させて、山部９９を乗り越えさせつつ窪み９８にスリーブ１８の突起２６が落とし込む。尚、レセプタクルコネクタ８は筐体等に固定されていることから、レセプタクルコネクタ８の案内窪み９７も固定された状態にあり、この結果、絶縁ケース１４の案内突起２７が、レセプタクルコネクタ８の案内窪み９７に挿入された状態にあるとき、絶縁ケース１４の、レセプタクル８に対する回転は規制される。更に言えば、絶縁ケース１４がレセプタクルコネクタ８側の案内窪み９７から抜き出されない限り、換言すれば、スリーブ１８を回転させてバイヨネット接続が解除されない限り、絶縁ケース１４はレセプタクル８に対して回転することはない。
【００１９】
図２は、図１から本装置１を構成するプラグコネクタ２とレセプタクルコネクタ８だけを取り出して示した図であって、（ａ）は、図１と同様の方法でプラグコネクタ２とレセプタクルコネクタ８の平面図を、（ｂ）は、それらの縦断面図を、それぞれ示す。更に、図２に加え、図３の（ａ）に、プラグコネクタ２のみの前方斜視図を、（ｂ）に、プラグコネクタ２のみの後方斜視図をそれぞれ示す。
【００２０】
プラグコネクタ２は、便宜的に、大きく２つの部分に分けることができる。レセプタクルコネクタ８側に設けた前方シェル５と、レセプタクルコネクタ８の反対側に設けた後方シェル６である。これら前方シェル５と後方シェル６は、前方シェル５側に設けたネジ溝３４と後方シェル６側に設けたネジ溝７６とを対応づけることによって互いにネジ止めされる。これら前方シェル５と後方シェル６の内部には、スリーブ１８に対してレセプタクル８の反対側に、ガスケット１５と環状クランプ１６が設けられている。ガスケット１５は、ゴム製のドーナツ状部材、クランプ１６は、複数の割片６２を持つ割スリーブ状の樹脂部材であり、これらの部材１５、１６は、後方シェル６の一部（締付リング１３）と協働して、プラグコネクタ２に挿通されたケーブルを締め付ける働きを持つ。従って、これらガスケット１５、クランプ１６、及び締付リング１３は、本願において締付部材として機能する。
【００２１】
図４は、前方シェル５と後方シェル６を分離し、それらの内部に設けたガスケット１５とクランプ１６を取り出した図を図２と同様の方法で示したもの、図５は、前方シェル５と後方シェル６の全ての構成部品を分解した分解斜視図を図２と同様の方法で示したものである。更に、図６は、前方シェル５の構成部品のうちの代表的な構成部品と後方シェル６とを斜視図で示したものであり、（ａ）は前方斜視図を、（ｂ）は後方斜視図をそれぞれ示す。
【００２２】
前方シェル５には、筒状体として形成された絶縁ケース（基部）１４と、この絶縁ケース１４の周囲を覆うように取り付けられた環状のスリーブ（結合部材）１８、これら絶縁ケース１４とスリーブ１８を接続するための止めリング１９、弾性作用を有するＣ字状のウェーブワッシャ１２、更に、防水用のＯリング１１が含まれる。図６には、これらのうち、絶縁ケース１４とスリーブ１８だけが示されている。
【００２３】
絶縁ケース１４は、プラグ１０とケーブル９（図１参照）の少なくとも一部とを内包した状態でケーブル９に沿って延在する。スリーブ１８は、この絶縁ケース１４において、レセプタクルコネクタ８側に設けられ、絶縁ケース１４の所定位置にて絶縁ケース１４に対して回転可能とされている。但し、スリーブ１８は絶縁ケース１４に対して制限なく回転するものではなく、その回転角度の範囲は１２０度程度に制限されており、また、本構成によれば、図４等にも示されるように、スリーブ１８が、絶縁ケース１４に対して、バイヨネット接続に最適な位置にまで回転したときは、スリーブ１８に設けたキー溝２１と、絶縁ケース１４に設けた案内突起３６と、が平面視方向において丁度重なる位置に来るように調整されているものと考えてよい。このための構成については、当業者には明らかであるため詳細な説明は省略する。止めリング１９は、絶縁ケース１４の環状窪み３３に嵌め込まれる。嵌め込まれた後も、止めリング１９の上部は、環状窪み３３から多少はみ出ており、スリーブ１８の環状内部フランジ２３は、この止めリング１９のはみ出し部と、絶縁ケース１４の環状外部フランジ３２との間に、ウェーブワッシャ１２を介して配置される。尚、止めリング１９と環状内部フランジ２３との接触が確実になるように、環状内部フランジ２３の表面に環状のテーパー２３’を設けてもよい。ウェーブワッシャ１２の働きにより、スリーブ１８は、常時、絶縁ケース１４の後方、即ち、レセプタクルコネクタ８の反対側に付勢されることになる。この付勢力は、プラグコネクタ２とレセプタクルコネクタ８の嵌合時におけるクリック感を生み出す。Ｏリング１１は、スリーブ１４の、レセプタクルコネクタ８側に設けた環状凹部３５に嵌め込まれ、レセプタクルコネクタ８との嵌合時にレセプタクルコネクタ８との隙間を埋める。これにより防止をより確実に行なうことができる。
【００２４】
後方シェル６には、キー環１７と、締付リング１３、更に、これらキー環１７と締付リング１３を接続するための回転保持リング２０が含まれる。図６に、後方シェル６の全体図を示している。
【００２５】
キー環１７の後方、即ち、レセプタクルコネクタ８の反対側の周囲には環状窪み４３が設けられている。回転保持リング２０は、この環状窪み４３に、上部を多少はみ出した状態で設置される。このはみ出し部に、締付リング１３の引っ掛け部７３を引っ掛けた状態でキー環１７を締付リング１３に対応させることにより、締付リング１３は、キー環１７において、レセプタクルコネクタ８の反対側に設けられ、キー環１７の所定位置にてキー環１７に対して回転可能とされる。
【００２６】
締付リング１３は、プラグコネクタ２の外部に露出した状態で設けられる。この締付リング１３は、前方シェル５と後方シェル６の内部に設けられたガスケット１５やクランプ１６とともに締付部材の一部を構成する外側部材であって、プラグコネクタ２に挿通させたケーブルを締め付けてそこに固定する機能を有する。締付リング１３の、レセプタクルコネクタ８側の内壁には、絶縁ケース１４のネジ溝３４に対応してネジ溝７６が設けられている。これらネジ溝３４、７６のネジの働きによって、締付リング１３や、その内部に設けたガスケット１５及びクランプ１６等の締付部材は、ケーブルに沿ってスリーブ１８側に移動し得る。
【００２７】
締付リング１３の一部（図５に示す前側突合面７５）は、キー環１７の一部（図５に示す後側突合面４５）に突き合わされる。これら突合面７５、４５の突合せを通じて、締スリーブ１８と締付リング１３との間に位置するキー環１７は、締付リング１３の移動に応答してスリーブ１８側に移動する。この結果、キー環１７の所定部分、例えば、ケーブルに沿って設けられた突状キー４２が、前方シェル５のスリーブ１８の所定部分、例えば、ケーブルに沿って設けられたキー溝２１と噛み合わされる。後述するように、この噛み合わせによって、プラグコネクタ２とレセプタクルコネクタ８の嵌合時に、スリーブ１８のレセプタクルコネクタ８に対する回転が防止されることになる。
【００２８】
絶縁ケース１４に対するキー環１７の向きを規制するため、絶縁ケース１４の外壁には、等角度で離間された、ケーブルに沿って延びる複数の案内突起３６が設けられており、これに対応して、キー環１７の内壁には、等角度で離間された、ケーブルに沿って延びる複数の案内溝４４が設けられている。これら絶縁ケース１４の案内突起３６とキー環１７の案内溝４４とを噛み合わせた状態で、締付リング１３のネジ溝７６と絶縁ケース１４のネジ溝３４とをネジ止めすることにより、キー環１７は締付リング１３によって絶縁ケース１４に対して所定の向きで取り付けられる。
【００２９】
これら絶縁ケース１４の案内突起３６とキー環１７の案内溝４４は、キー環１７とスリーブ１８の向きを調整するためにも重要である。図７の（ａ）、（ｂ）に、キー環１７の突状キー４２とスリーブ１８のキー溝２１が噛み合わされる前後の状態を平面図で示す。特に、絶縁ケース１４の案内突起３６が、キー溝２１よりも、後方、即ち、レセプタクルコネクタ８の反対側の位置にまで延びている点に注目していただきたい。図７の（ａ）によく示されるように、本構成では、キー環１７の突状キー４２とスリーブ１８のキー溝２１が噛み合わされる前に、絶縁ケース１４の案内突起３６とキー環１７の案内溝４４が噛み合わされることから、キー環１７の突状キー４２とスリーブ１８のキー溝２１は、常に正確な位置で噛み合わされる。
【００３０】
次いで、図７に加え、図２、４、５等の断面図をも参照しつつ、締め付け作用及び締め付けの解除作用について説明する。
【００３１】
ガスケット１５は、絶縁ケース１４の小径の環状凹部３７に設置され、一方、クランプ１６は、この環状凹部３７と連続している絶縁ケース１４の大径の円形空間３８に設置される。締付リング１３を絶縁ケース１４に対して所定の方向に回転させた場合、締付リング１３のネジ溝７６と、絶縁ケース１４のネジ溝３４の噛み合わせにより、締付リング１３は絶縁ケース１４側に移動し、この移動に応答して、クランプ１６は締付リング１３によってガスケット１５側に押され、また、ガスケット１５はクランプ１６によって絶縁ケース１４側に押される。
【００３２】
クランプ１６の、締付リング１３との接触側には、複数の割片６２が延びており、これらの割片６２の先端側は、締付リング１３のテーパー７７と当接することにより、テーパー７７の働きによりケーブルに向って変位する。割片６２の先端内側には、滑り止め防止用の突起部６４が複数設けられており、ケーブルに向って変位したこれらの突起部６４により、ケーブルをしっかりとクランプできるようになっている。尚、割片６２同士の間の隙間６６には、テーパー７７に設けた戻り防止突起７４が入り込み、クランプ１６の回転を一定の方向に制御し得る。
【００３３】
また、クランプ１６の、ガスケット１５との接触側には、テーパー６７が形成されており、ガスケット１５は、このテーパー６７の働きにより、クランプ１６との接触面側において縮径される。更に、ガスケット１５の中央外面に環状溝５２が設けられているため、この環状溝５２が潰されることにより、ガスケット１５はその中央付近においても縮径される。この結果、ガスケット１５の中央付近においても、ガスケット１５によるケーブルの締め付けが行なわれる。
尚、絶縁ケース１４の大径の円形空間３８に案内溝３９を設けて、クランプ１６の外面の突出部６５と位置合わせすることにより、絶縁ケース１４におけるクランプ１６の位置を決定してもよい。
【００３４】
一方、締付リング１３を絶縁ケース１４に対して、前述の所定の方向とは反対方向に回転させた場合、締付リング１３のネジ溝７６と、絶縁ケース１４のネジ溝３４の噛み合わせにより、締付リング１３は絶縁ケース１４の反対側に移動し、この移動に応答して、クランプ１６は締付リング１３から解放され、クランプ１６の割片６２は元の状態に復帰してケーブルの締め付けを解除し、また、ガスケット１５はクランプ１６から引き離されて、同様に元の状態に復帰してケーブルの締め付けを解除する。更に、キー環１７は、この移動に応答して、スリーブ１８の反対側に移動し、スリーブ１８のキー溝２１との噛み合わせを解除して、スリーブ１８の回転を許容するものとなる。
【００３５】
最後に、本構成による作用を、図１を参照して説明する。
上の説明から明らかなように、キー環１７の突状キー４２とスリーブ１８のキー溝２１とが噛み合わされているとき、換言すれば、本プラグコネクタ２とレセプタクルコネクタ８の嵌合時には、絶縁ケース１４のレセプタクル８に対する回転は規制され、また、キー環１７の絶縁ケース１４に対する回転も規制される。従って、キー環１７の突状キー４２とスリーブ１８のキー溝２１とが噛み合わされている限り、スリーブ１８をレセプタクル８に対して回転させることはできない。スリーブ１８は、キー環１７の突状キー４２とスリーブ１８のキー溝２１の噛み合せを解除しない限り、更に詳細には、締付リング１３を絶縁ケース１４に対して回転させることにより、締付リング１３やガスケット１５、クランプ１６等の締付部材をスリーブ１８の反対側に移動させ、締付部材によるケーブルの締め付けを解除しない限り、回転させることができない。従って、従来のように、締付部材によるケーブルの締め付けを解除しないまま、スリーブ１８を回転させてスリーブ１８とともにプラグコネクタ２をレセプタクルコネクタ８から引き離してしまう、といった誤動作は防止される。締付部材によるケーブルの締め付けを解除しないまま、スリーブ１８を回転させ、スリーブ１８とともにプラグコネクタ２をレセプタクルコネクタ８から引き離してしまった場合には、プラグコネクタ２のプラグ１０がレセプタクルコネクタ８側に設けたレセプタクル８１に係止されたままの状態で、プラグコネクタ２とともに、プラグコネクタ２の締付部材に固定されたケーブルや、これに接続されたプラグ１０をも引っ張ることになり、プラグ１０とレセプタクル８１との間の係止構造を破壊してしまう危険があるが、本構成によれば、このような危険を防止することができる。
【００３６】
尚、上の実施形態では、キー環１７に突状キー４２を、一方、スリーブ１８にキー溝２１を設けることとしていたが、図８の変形例に示すように、キー環１７’にキー溝２１’を、一方、スリーブ１８’に突状キー４２’を設けてもよい。尚、図８の変形例において、上の実施形態と同じ部材には同じ番号を用い、対応する部材には同じ番号を用いるとともに「’」を付している。その他、特に図示はしないが、キー以外の形態を用いてもよい。また、キー環１７やスリーブ１８の形状は特に限定されるものではなく、キー環１７とスリーブ１８の噛み合せを解除しない限りスリーブを回転させることができない構造とすれば足り、例えば、鋸歯のようなギザギザのキーを設けてもよい。従って、キーの形状は、本願の範囲を限定するものではない。
【産業上の利用可能性】
【００３７】
防水コネクタに限らず、防水機能を有しない、例えば、光コネクタ、電気コネクタ等の様々なプラグコネクタに応用することができる。
【符号の説明】
【００３８】
１  防水装置
２  プラグコネクタ（防水コネクタ）
５  前方シェル
６  後方シェル
７  係止片
８  レセプタクルコネクタ
９  ケーブル
１０  プラグ
１１  Ｏリング
１３  締付リング
１４  絶縁ケース（基部）
１７  キー環
１８  スリーブ（結合部材）
２０  回転保持リング
２１  キー溝
６２  割片
８１  レセプタクル
【図１】
2014127416.tif 000003
【図２】
2014127416.tif 000004
【図３】
2014127416.tif 000005
【図４】
2014127416.tif 000006
【図５】
2014127416.tif 000007
【図６】
2014127416.tif 000008
【図７】
2014127416.tif 000009
【図８】
2014127416.tif 000010
【図９】
2014127416.tif 000011